(57)【要約】      （修正有）【課題】より多くの盆飾りのための棚部材や仏具が収納可能で、飾り付けや収納がスムーズに行うことができる盆飾り収納箱を提供する。【解決手段】上方に開閉自在の蓋１２を有する収納箱本体１０と、収納箱本体の下層を盆飾り用の仏具毎の区画に間仕切る下層間仕切り壁材と、下層と上層とを仕切る上下間仕切り部材とを備え、仏具を、下層の下層間仕切り壁材によって間仕切られた区画ごとに収納し、棚部材を上層に収納する。【選択図】図１
0003233059.tif 000002
【実用新案登録請求の範囲】
【請求項１】
盆飾りや盆飾り用の棚部材を収納するための盆飾り収納箱において、
上方に開閉自在の蓋を有する収納箱本体と、
該収納箱本体の下層を盆飾り用の仏具毎の区画に間仕切る下層間仕切り壁材と、
該下層と上層とを仕切る上下間仕切り部材とを備え、
該仏具を該下層の該下層間仕切り壁材によって間仕切られた区画ごとに収納し、該棚部材を、該上層に収納することを特徴とする盆飾り収納箱。
【請求項２】
前記上下間仕切り部材が板状で、
該上下間仕切り部材の上面に前記棚部材を配置して収納することを特徴とする請求項１記載の盆飾り収納箱。
【請求項３】
前記蓋の上面又は裏面が、前記棚部材や前記仏具が収納された状態を表示する収納形態表示面であることを特徴とする請求項１又は請求項２記載の盆飾り収納箱。
【請求項４】
前記蓋の上面又は裏面が、前記棚部材の組み立て手順や前記仏具の飾り付けの状態を表示する飾り付け方法表示面であることを特徴とする請求項１〜請求項３のいずれかに記載の盆飾り収納箱。
【考案の詳細な説明】
【技術分野】
【０００１】
本考案は、盆飾りや盆飾り用の棚部材を収納するための盆飾り収納箱に関する。
【背景技術】
【０００２】
従来より、盆飾りは、棚部材の形状を工夫することにより保管場所をとらないように工夫されてきている。例えば、特許文献１に示す後飾り兼用盆飾り棚は、後飾り兼用盆飾り棚において、後方に向って高さを増す複数段の両側板を各段ごとに蝶番で折り畳み自在に形成し、側板を一定の間隔で立設し、この側板の各段上間に棚板を戴置し、また、側板に着脱自在に盆提燈飾り棹を取り付けて、お盆の時にはこの棹に盆提燈を飾るようにしたものである。
【先行技術文献】
【特許文献】
【０００３】
【特許文献１】特開２００３−１１６７０９号公報
【考案の概要】
【考案が解決しようとする課題】
【０００４】
しかしながら、盆飾りの収納を考えると、点数の多い盆飾りと盆飾り用の棚部材と一体で、保管場所をとらないように収納し保管する必要があり、また、飾り付けたり収納する際に、飾り付けや収納の手順が明確でスムーズに行えることが好ましい。
【０００５】
本考案は、このような事情に鑑みてなされたもので、より多くの盆飾りのための棚部材や仏具が収納可能で、飾り付けや収納がスムーズに行うことができる盆飾り収納箱を提供することにある。
【課題を解決するための手段】
【０００６】
請求項１記載の盆飾り収納箱は、上方に開閉自在の蓋を有する収納箱本体と、収納箱本体の下層を盆飾り用の仏具毎の区画に間仕切る下層間仕切り壁材と、下層と上層とを仕切る上下間仕切り部材とを備え、仏具を、下層の下層間仕切り壁材によって間仕切られた区画ごとに収納し、棚部材を上層に収納することを特徴とする。
【０００７】
請求項２記載の盆飾り収納箱は、上下間仕切り部材が板状で、上下間仕切り部材の上面に棚部材を配置して収納することを特徴とする。
【０００８】
請求項３記載の盆飾り収納箱は、蓋の上面又は裏面が、棚部材や仏具が収納された状態を表示する収納形態表示面であることを特徴とする。
【０００９】
請求項４記載の盆飾り収納箱は、蓋の上面又は裏面が、棚部材の組み立て手順や仏具の飾り付けの状態を表示する飾り付け方法表示面であることを特徴とする。
【考案の効果】
【００１０】
本考案によれば、仏具を下層の下層間仕切り壁材によって間仕切られた区画ごとに収納し、棚部材を上層に収納することで、より多くの盆飾りのための棚部材や仏具が収納可能で、飾り付けや収納がスムーズに行うことができる。
【図面の簡単な説明】
【００１１】
【図１】本考案に係る盆飾り収納箱の実施例を示す説明図である。
【図２】同盆飾り収納箱の蓋の上面を示す説明図である。
【図３】同盆飾り収納箱の下層の様子を示す説明図である。
【図４】同盆飾り収納箱の上下間仕切り部材を示す説明図である。
【図５】同盆飾り収納箱の上層の様子を示す説明図である。
【考案を実施するための形態】
【００１２】
本考案における盆飾り収納箱１は、盆飾りや盆飾り用の棚部材３０ａ〜３０ｃを収納するためのものである。尚、図１は、本考案に係る盆飾り収納箱の実施例を示す説明図である。図２は、同盆飾り収納箱の蓋の上面を示す説明図である。図３は、同盆飾り収納箱の下層の様子を示す説明図である。図４は、同盆飾り収納箱の上下間仕切り部材を示す説明図である。図５は、同盆飾り収納箱の上層の様子を示す説明図である。
【００１３】
盆飾り収納箱１は、上方に開閉自在の蓋１２を有する収納箱本体１０と、収納箱本体１０の下層を盆飾り用の仏具４０ａ〜４０ｇ毎の区画に間仕切る下層間仕切り壁材２０ａ〜２０ｆと、下層と上層とを仕切る上下間仕切り部材１４とから構成されている。収納箱本体１０、下層間仕切り壁材２０ａ〜２０ｆ及び上下間仕切り部材１４の材質は、軽量化の観点からは段ボールが好ましいが、それに限られるものではなく、木材、樹脂（例えば、発泡スチロール等）等であってもよく、また、それぞれの部位が異なる材質であってもよい。
【００１４】
収納箱本体１０は、上方に開口を有し、その開口を開閉自在する蓋１２を有している。収納箱本体１０の下層には、図３に示すように、盆飾り用の仏具４０ａ〜４０ｇを、仏具４０ａ〜４０ｇ毎の収納区画に仕切るための下層間仕切り仕切り壁材２０ａ〜２０ｆが、設けられている。本実施の形態の盆飾り収納箱１では、収納箱本体１０のおおよそ下半分が下層で、おおよそ上半分が上層になっており、下層間仕切り壁材２０ａ〜２０ｆが、収納箱本体１０の底面１０ｃから収納箱本体１０の高さ方向の半分程度までに到るように起立する壁面が形成されている。尚、収納箱本体１０の側面には、手を掛けて持ち上げるための取手穴１０ｂが、穿設されている。
【００１５】
尚、下層間仕切り壁材２０ａ〜２０ｆの高さや設置位置は、下層間仕切り壁材２０ａ〜２０ｆによって間仕切られる区画に収納される盆飾り用の仏具４０ａ〜４０ｇの形状や高さ等により、決められるものである。但し、下層間仕切り壁材２０ａ〜２０ｆは、収納箱本体１０の内面１０ａや底面１０ｃに固着されている必要はなく、盆飾り用の仏具４０ａ〜４０ｇを、盆飾り用の仏具４０ａ〜４０ｇ毎の区画に収納できる形態であればよい。
【００１６】
収納箱本体１０の下層と上層とを仕切る上下間仕切り部材１４は、下層と上昇とを仕切れるものであれば良いが、板状が好ましい。そして、より具体的には、上下間仕切り部材１４を略水平に下層間仕切り壁材２０ａ〜２０ｆの上に載置し、収納箱本体１０の下層と上層とを仕切ることになる。
【００１７】
本実施の形態の盆飾り収納箱１の蓋１２の上面１２ａは、仏具４０ａ〜４０ｇの飾り付けの状態を表示する飾り付け方法表示面となっており、具体的には、仏具４０ａ〜４０ｇの飾り付けの状態を表示する写真や図面で描かれる飾り付け方法表示１２ｂが施されている。尚、飾り付け方法表示面は、蓋１２の裏面であってもよい。尚、飾り付け方法表示面は、棚部材３０ａ〜３０ｃが組み立て手順を示す面であってもよく、蓋１２の上面１２ａでも裏面でもよい。
【００１８】
また、盆飾り収納箱１の蓋１２の上面１２ａ又は裏面は、棚部材３０ａ〜３０ｃや仏具４０ａ〜４０ｇが収納された状態を表示する収納形態表示面とすることもでき、具体的には、棚部材３０ａ〜３０ｃや仏具４０ａ〜４０ｇが収納された状態を表示する写真や図面を施すようにしてもよい。
【００１９】
次に、盆飾り収納箱１の使用方法を、棚部材３０ａ〜３０ｃや仏具４０ａ〜４０ｇを収納するところから説明する。まず、実際の盆飾りは、図２の飾り付け方法表示１２ｂにしめされるように飾られているが、図３に示すように、それぞれの棚部材３０ａ〜３０ｃを、小箱等に収納しつつ、それぞれに割り当てられた下層間仕切り壁材２０ａ〜２０ｆで間仕切りされた区画に収納していく。これにより、盆飾り収納箱１の下層に、盆飾り用の仏具４０ａ〜４０ｇが収納されることになる。
【００２０】
次に、図４に示すように、上下間仕切り部材１４を、下層間仕切り壁材２０ａ〜２０ｆの上に載置する。そして、図５に示すように、棚部材３０ａ〜３０ｃを、棚としてくみ上げた状態から収納可能に分解した上で、上下間仕切り部材１４の上に載置して配置して収納していく。これにより、盆飾り収納箱１の上層に、棚部材３０ａ〜３０ｃが収納されることになる。
【００２１】
最後に、蓋１２を、収納箱本体１０に被せることで、収納が終了する。尚、盆飾りを飾り付ける場合には、収納と逆の手順で行うことになり、飾り付けの状態は、飾り付け方法表示１２ｂを参考に、仏具４０ａ〜４０ｇを飾り付けていくようにする。
【００２２】
このような盆飾り収納箱１によれば、仏具４０ａ〜４０ｇを下層の下層間仕切り壁材２０ａ〜２０ｆによって間仕切られた区画ごとに収納し、棚部材３０ａ〜３０ｃを上層に収納することで、より多くの盆飾りのための棚部材３０ａ〜３０ｃや仏具４０ａ〜４０ｇが収納可能で、飾り付けや収納がスムーズに行うことができる。
【００２３】
本考案は、本考案の広義の精神と範囲を逸脱することなく、様々な実施の形態及び変形が可能とされるものである。また、上述した実施の形態は、この考案を説明するためのものであり、本考案の範囲を限定するものではない。すなわち、本考案の範囲は、実施の形態ではなく、実用新案登録請求の範囲によって示される。そして、実用新案登録請求の範囲内及びそれと同等の考案の意義の範囲内で施される様々な変形が、この考案の範囲内とみなされる。
【産業上の利用可能性】
【００２４】
本考案により、より多くの盆飾りのための棚部材や仏具が収納可能で、飾り付けや収納がスムーズに行うことができる盆飾り収納箱を提供することができる。
【符号の説明】
【００２５】
１・・・・・盆飾り収納箱
１０・・・・収納箱本体
１０ａ・・・内面
１０ｂ・・・取手穴
１０ｃ・・・底面
１２・・・・蓋
１２ａ・・・上面
１２ｂ・・・飾り付け方法表示
１４・・・・上下間仕切り部材
２０ａ・・・下層間仕切り壁材
２０ｂ・・・下層間仕切り壁材
２０ｃ・・・下層間仕切り壁材
２０ｄ・・・下層間仕切り壁材
２０ｅ・・・下層間仕切り壁材
２０ｆ・・・下層間仕切り壁材
３０ａ・・・棚部材
３０ｂ・・・棚部材
３０ｃ・・・棚部材
４０ａ・・・仏具
４０ｂ・・・仏具
４０ｃ・・・仏具
４０ｄ・・・仏具
４０ｅ・・・仏具
４０ｆ・・・仏具
４０ｇ・・・仏具
【図１】
0003233059.tif 000003
【図２】
0003233059.tif 000004
【図３】
0003233059.tif 000005
【図４】
0003233059.tif 000006
【図５】
0003233059.tif 000007